(57)【要約】【課題】  印刷注文に従ってプリプレス処理されるすべてのジョブの状態が実行可能状態に遷移することを待たずに、プレス処理を開始できるように各ジョブの実行順序を管理する。【解決手段】    プリプレス処理に従って受信するジョブを処理する情報処理装置において、前記ジョブを受信することに応じて、注文されたジョブ一覧に表示されるいずれかのジョブの処理状態をジョブ待ち状態からジョブ実行可能状態へ遷移させてジョブを管理する。その際、ジョブ一覧に表示されるジョブを実行する順序を特定する属性が指定された場合、指定される前記特定の属性に従い、表示手段に表示されるジョブ一覧でジョブ待ち状態と表示されるジョブと、ジョブ実行可能状態と表示されるジョブとのプレス処理順序を制御する構成を特徴とする。【選択図】  図１０
2016173660.tif 000002
【特許請求の範囲】
【請求項１】
プリプレス処理に従って受信するジョブを処理する情報処理装置であって、
前記ジョブを受信することに応じて、注文されたジョブ一覧に表示されるいずれかのジョブの処理状態をジョブ待ち状態からジョブ実行可能状態へ遷移させてジョブを管理する管理手段と、
前記ジョブ一覧に表示されるジョブを実行する順序を特定する属性を指定する指定手段と、
指定される前記特定の属性に従い、表示手段に表示されるジョブ一覧でジョブ待ち状態と表示されるジョブと、ジョブ実行可能状態と表示されるジョブとのプレス処理順序を制御する制御手段と、
を備えることを特徴とする情報処理装置。
【請求項２】
前記指定手段が指定する特定の属性は、表示されるジョブ順、受信するジョブ順、前記ジョブ一覧に表示される項目であって、選択される項目でソートされた順のいずれかを指定することを特徴とする請求項１記載の情報処理装置。
【請求項３】
前記指定手段が指定する属性が表示されるジョブ順である場合、前記制御手段は、後続のジョブがジョブ実行可能状態であっても、ジョブ待ち状態のジョブを受信するまで後続のジョブを実行させないようにプレス処理順序を制御することを特徴とする請求項２記載の情報処理装置。
【請求項４】
前記指定手段が指定する属性が受信するジョブ順である場合、前記制御手段は、後続のジョブがジョブ実行可能状態であれば、ジョブ待ち状態のジョブの受信を待つことなく、後続のジョブを実行させるようにプレス処理順序を制御することを特徴とする請求項２記載の情報処理装置。
【請求項５】
前記指定手段が指定する属性が選択される項目でソートされた順である場合、前記制御手段は、ソートされた次のグループのジョブがジョブ実行可能状態であっても、先に実行すべきグループのジョブの処理を終了するまで、後続のグループのジョブを実行させないようにプレス処理順序を制御することを特徴とする請求項２記載の情報処理装置。
【請求項６】
処理順序が決定された各ジョブをプレス処理するデバイスに送信する送信手段を備えることを特徴とする請求項１乃至５のいずれか１項に記載の情報処理装置。
【請求項７】
プリプレス処理に従って受信するジョブを処理する情報処理装置のジョブ処理方法であって、
前記ジョブを受信することに応じて、注文されたジョブ一覧に表示されるいずれかのジョブの処理状態をジョブ待ち状態からジョブ実行可能状態へ遷移させてジョブを管理する管理工程と、
前記ジョブ一覧に表示されるジョブを実行する順序を特定する属性を指定する指定工程と、
指定される前記特定の属性に従い、表示手段に表示されるジョブ一覧でジョブ待ち状態と表示されるジョブと、ジョブ実行可能状態と表示されるジョブとのプレス処理順序を制御する制御工程と、
を備えることを特徴とする情報処理装置のジョブ処理方法。
【請求項８】
請求項７に記載の情報処理装置のジョブ処理方法をコンピュータに実行させることを特徴とするプログラム。
【発明の詳細な説明】
【技術分野】
【０００１】
本発明は、情報処理装置、情報処理装置のジョブ処理方法、及びプログラムに関するものである。
【背景技術】
【０００２】
従来、第三者（顧客、クライアント）から印刷物（製本、カタログ、チラシ等）の作成依頼を受注し、該クライアントの所望の出力物（成果物）を作成し、それを該クライアントに納品することでクライアントから報酬を得るＰＯＤ市場がある。
【０００３】
このＰＯＤ市場では、大量部数や大量ジョブを、大掛かりな装置、システムを用いずに短納期で取り扱えることを目指しており、例えば、デジタル複写機やデジタル複合機等のデジタル画像形成装置を最大限に活用している。
ＰＯＤ市場は、電子データを用いたデジタルプリントを実現する市場であり、従来の印刷業界に比べてコンピュータを利用した管理、制御が浸透してきている。
【０００４】
上記ＰＯＤ市場において、多様な成果物の出力結果を得るために、複数の処理工程（例えば、印刷前処理工程（プリプレス工程）、印刷処理工程（プレス工程）、印刷後処理工程（ポストプレス工程））からなるワークフローを構成し、ワークフローの処理工程に従って処理を進めることにより、効率的に発注者が所望とする印刷物を得ている。このようなワークフローの実現において、各工程ごとに逐次処理が行われる。
【０００５】
例えば、図１５に例示するように一般的な工程において、プリプレス作業者はプリプレス工程（ＰＰ１〜ＰＰ３）を行い、印刷ジョブを生成する。すべてのプリプレス作業者から印刷ジョブが発行されると印刷処理工程の作業者が印刷ジョブを最適な印刷装置に振り分け、印刷工程（Ｐ１〜Ｐ３）を行う。このような工程毎の逐次処理は並行に処理できていないという点において、時間的に非効率であり、逆になるべくこれらの工程を並行に処理できれば生産コストを向上させることが可能となる。
こういった工程の最適化、スケジューリングを行う技術として、特許文献１では例えばプリプレス工程が自動で行えるケースはプリプレス工程をスケジューリングの対象から外し、印刷工程のスケジューリングから行うといった技術がある。
【先行技術文献】
【特許文献】
【０００６】
【特許文献１】特開特開２０１４−１９４６４９号公報
【発明の概要】
【発明が解決しようとする課題】
【０００７】
上述した従来技術は、プリプレス工程を自動化できる場合にのみ生産性向上を可能とし、校正、レイアウト、画像補正などのプリプレス作業者による作業を必要とするワークフローでは生産性を向上することができない。このようなケースではやはり、プリプレス工程と、印刷工程とが逐次処理となり、全体作業時間が増え、一日の生産コストの低下を招いている。
【０００８】
本発明は、上記の課題を解決するためになされたもので、本発明の目的は、印刷注文に従ってプリプレス処理されるすべてのジョブの状態が実行可能状態に遷移することを待たずに、プレス処理を開始できるように各ジョブの実行順序を管理できる仕組みを提供することである。
【課題を解決するための手段】
【０００９】
上記目的を達成する本発明の情報処理装置は以下に示す構成を備える。
プリプレス処理に従って受信するジョブを処理する情報処理装置であって、前記ジョブを受信することに応じて、注文されたジョブ一覧に表示されるいずれかのジョブの処理状態をジョブ待ち状態からジョブ実行可能状態へ遷移させてジョブを管理する管理手段と、前記ジョブ一覧に表示されるジョブを実行する順序を特定する属性を指定する指定手段と、指定される前記特定の属性に従い、前記表示手段に表示されるジョブ一覧でジョブ待ち状態と表示されるジョブと、ジョブ実行可能状態と表示されるジョブとのプレス処理順序を制御する制御手段と、を備えることを特徴とする。
【発明の効果】
【００１０】
本発明によれば、印刷注文に従ってプリプレス処理されるすべてのジョブの状態が実行可能状態に遷移することを待たずに、プレス処理を開始できるように各ジョブの実行順序を管理できる。
【図面の簡単な説明】
【００１１】
【図１】印刷システムの構成の一例を示す図である。
【図２】情報処理装置のハードウェア構成を例示した図である。
【図３】ジョブ管理アプリケーションのソフトウェア構成を例示する図である。
【図４】注文データベースの構造を例示する図である。
【図５Ａ】表示部が表示するＵＩ画面を示す図である。
【図５Ｂ】表示部が表示するＵＩ画面を示す図である。
【図６】表示部が表示するＵＩ画面を示す図である。
【図７】情報処理装置の制御方法を説明するフローチャートである。
【図８】情報処理装置の制御方法を説明するフローチャートである。
【図９】情報処理装置の制御方法を説明するフローチャートである。
【図１０】情報処理装置の制御方法を説明するフローチャートである。
【図１１】情報処理装置の制御方法を説明するフローチャートである。
【図１２】表示部が表示するＵＩ画面を示す図である。
【図１３】表示部が表示するＵＩ画面を示す図である。
【図１４】印刷ジョブの構成を説明する図である。
【図１５】プリプレス作業を説明する図である。
【発明を実施するための形態】
【００１２】
次に本発明を実施するための最良の形態について図面を参照して説明する。
＜システム構成の説明＞
〔第１実施形態〕
図１は、本発明の第１実施形態を示す印刷システムの構成の一例を示す図である。
図１において、情報処理装置１０１は印刷物作成を要求する依頼者が注文処理を行う注文ＰＣであり、依頼者は本ＰＣ上で、注文サーバ１０２に対して注文処理を行う。注文サーバ１０２はサーバ装置であり、前述した依頼者の注文を受け付けるサーバである。本注文サーバ１０２で受け付けられた注文は後述する注文情報として注文データベース１０３に格納される。
【００１３】
情報処理装置１０５、１０６はプリプレス用作業ＰＣとして機能する情報処理装置であり、レイアウト、校正作業、印刷設定を含むプリプレス作業を行う作業者が、注文処理の印刷前工程（プリプレス工程）を行う。
【００１４】
情報処理装置１０７は、後述するジョブ管理のための作業ＰＣとして機能する情報処理装置で、情報処理装置１０５、１０６によるプリプレス作業後、本情報処理装置で印刷物を実現するための最適な印刷装置の選択や印刷装置への送信作業が行われる。本例において、印刷装置として印刷装置１０８及び印刷装置１０９を例示している。１１０は後処理装置で、印刷装置１０８、１０９からの印刷後、折り加工や断裁加工などの後処理を行う装置である。また、ネットワーク１０４は各装置を接続し、相互通信を可能とするネットワークである。
【００１５】
図２は、図１に示した情報処理装置１０７のハードウェア構成を例示した図である。  
図２において、情報処理装置１０７はキーボード２３２や、マウス２３３のようなポインティングデバイス、バーコードリーダ２３４などの入力装置をつなぎ、ディスプレイ（Ｄｉｓｐｌａｙ）２４４を連結する。ネットワークインタフェース（ＮｅｔｗｏｒｋＩ／Ｆ）２３８は、情報処理装置１０７をネットワーク１０４に接続してシステムの他のコンピュータ装置につなげることができる。なお、ネットワーク接続の典型はローカルエリアネットワーク（ＬＡＮ）、あるいはワイドエリアネットワーク（ＷＡＮ）である。情報処理装置１０７は典型的な構成として以下の要素を含む。
【００１６】
情報処理装置１０７はＣＰＵ２３５、ランダムアクセスメモリ（ＲＡＭ）やＲＯＭから構成されるメモリ２３６、ビデオインタフェース２３７を含むＩ／Ｏインタフェース、キーボード２３２やマウス２３３を備える。さらに、情報処理装置１０７はバーコードリーダ２３４のためのＩ／Ｏインタフェース２４３、記憶装置２３９は典型的にハードディスクドライブ（ＨＤＤ）２４０やディスクドライブ２４１を備える。
なお、図には示されていないが磁気テープドライブなどもまた使用される可能性がある。ＣＤ−ＲＯＭドライブ２４２は不揮発性のデータソースとして提供される。後述する本発明のフローチャートで示された手順を実現するジョブ管理プログラムは例えば上記に記述されるような記憶装置を含む可読媒体に格納される。また該プログラムはコンピュータの可読媒体からロードされ、情報処理装置１０７のＣＰＵ２３５によって実行される。  
【００１７】
図３は、図１に示した情報処理装置１０７上で動作するジョブ管理アプリケーションのソフトウェア構成を例示する図である。  
図３において、３００は、図２に示した情報処理装置１０５、１０６上で動作する不図示のプリプレスアプリケーションで、プリプレス済の注文データを情報処理装置１０７上のジョブ管理アプリケーション３０１に送信する。
ジョブ管理アプリケーション３０１は、後述する３０２〜３０８で示す各モジュールから構成される。３０２は制御部であり、ジョブ管理アプリケーション３０１の処理全体を制御する。以下に示す各モジュールは制御部３０２の制御の元で実行される。なお、ジョブ管理アプリ３０１は、ジョブを受信することに応じて、注文されたジョブ一覧に表示されるいずれかのジョブの処理状態をジョブ待ち状態からジョブ実行可能状態へ遷移させてジョブを管理する機能を備える。後述するジョブリスト５００上では、ジョブ実行可能状態をステータスとして「準備完了」と表記する。また、ジョブ待ち状態を「未到達」と表記する。
ジョブ受信部３０３は、プリプレスアプリケーション３００から印刷ジョブを受信する。受信した印刷ジョブはジョブ解析部３０４によって解析され、本解析に基づき、図１１で例示するフローチャートの処理が実行される。
【００１８】
３０５は注文情報制御部で、図１で例示した注文データベース１０３との通信処理を行う。注文情報解析部３０６は注文データベース１０３から取得した注文の解析を行う。３０７は表示処理部であり、図５で例示するジョブ管理アプリケーションのユーザインタフェースをディスプレイ（Ｄｉｓｐｌａｙ）２４４に表示する。３０８はプリンタ制御部であり、印刷ジョブを印刷装置１０８や印刷装置１０９に送信する。
本実施形態では、ジョブ管理アプリケーション３０１が後述する図６に示すＵＩ画面で指定される特定の属性に従って処理される。具体的には、ディスプレイ２４４に表示されるジョブ一覧でジョブ待ち状態と表示されるジョブと、ジョブ実行可能状態と表示されるジョブとのプレス処理順序を制御する。
【００１９】
図４は、図１に示した注文情報を格納する注文データベース１０３の構造を例示する図である。
図４において、４０１は注文を一意に識別する注文ＩＤが格納される領域である。４０２は注文の現在のステータスが格納される領域である。４０３は注文された成果物の数量が格納される領域である。４０４は最終成果物の形態を特定する商材ＩＤを格納する領域である。４０５は最終成果物の仕上がりサイズ（例えばＡ４、Ｂ５、Ｂ６等）が格納される領域である。４０６は最終成果物の用紙種別（例えば普通紙、コート紙等）の情報が格納される領域である。４０７は最終成果物のコンテンツである元データが格納される領域である。
【００２０】
本図では、一例として、データベースの行４０８で例示する注文は、注文ＩＤが「００１」、ステータスは注文がされた直後の状態を示す"注文済"、注文の最終成果物の数量は「１」であることが示される。さらに、データベースの行４０８で例示する注文は、最終成果物はステープル処理が施された"ステープル左一点"、最終成果物のサイズは「Ａ４」、用紙種別は「Ａ４普通紙」であることが示される。さらに、データベースの行４０８で例示する注文は、注文のデータ（印刷されるデータ）は"Ｃ：￥００１.ｐｄｆ"に格納されていることが示される。
【００２１】
図５Ａ、図５Ｂは、図３に示したジョブ管理アプリケーション３０１の表示処理部３０７が表示するユーザインタフェース（ＵＩ）を例示する図である。
図５Ａの（ａ）に示すメイン画面において、５００はジョブリストを示しており、現在の注文のリストが表示される領域である。５０１はジョブリスト５００内のジョブが選択されているか否かを示すチェックボックスを表示する領域であり、ジョブ管理アプリケーションの操作者が不図示のマウスやキーボードを使ってジョブを選択することを可能とする。
５０２は注文を一意に識別する注文ＩＤを表示する領域である。５０３は注文の現在のステータスを表示する領域である。５０４は注文の数量を表示する領域である。５０５は注文の最終形態を示す商材ＩＤを表示する領域である。５０６は注文の最終仕上がりサイズを表示する領域である。５０７は印刷用紙を表示する領域である。
５０８は実際に印刷を行う印刷装置を表示する領域で、ジョブ管理アプリケーションを操作する作業者はコンボボックス５１１で印刷する印刷装置１０８〜１１０のいずれかの印刷装置に変更することができる。
【００２２】
５０９はジョブリスト内のジョブの表示順が領域５０１〜５０８で示す各カラムのどのカラムを基準にソートされているかを示す選択マークで、図５Ａの（ａ）の例では注文ＩＤが選択され、注文ＩＤでジョブリストがソートされていることを示している。
ジョブ管理アプリケーション３０１を操作する作業者は各領域５０１〜５０８で示す任意のカラムをマウス２３３でクリックすることでソート操作の指示を行うことができる。
【００２３】
５１１はジョブリストのステータス（領域５０３）で表示項目のフィルタを行うコンボボックスである。本図のコンボボックス５１１では、ステータス（領域５０３の内容によらず、すべてのジョブをリストに表示することを意味する"すべて表示"が選択されている。
【００２４】
図１３に示すように本コンボボックス５１１でプリプレスアプリケーションからジョブが到着し、印刷可能であること示す"準備完了"が選択された場合は、１３０３、１３０４で示すように該当するステータス１３０５のジョブのみがジョブリストに表示される。
図５Ａの（ｂ）は、図５Ａの（ａ）において、作業者が領域５０７の用紙カラムをマウス２３３でクリックしたときに、領域５０７に対応する用紙情報でジョブリストがソートされた結果を示すＵＩ画面である。用紙の項目でジョブリストがソートされた結果、注文ＩＤ５０２の並びは「００２」、「００３」、「００４」、「００１」，「００５」，「００６」の順になる。
【００２５】
図５Ｂの（ｃ）は、注文ステータス（領域５０３）が変化したときのジョブリストを例示するＵＩ画面例である。
図５の（ｃ）において、ステータス５１５は、プリプレスアプリケーション３００から注文ＩＤ００３で示すジョブがジョブ管理アプリケーション３０１に送信され、印刷装置３へ送信可能な状態である「準備完了」になったことを示している。準備完了になったジョブは印刷ボタン５１２を押下することで印刷処理が実行される。印刷後、ステータス５１５は、ステータス５１６に示すように「印刷済」となる。
【００２６】
図１４の（ａ）は、図３に示したジョブ管理アプリケーション３０１がプリプレスアプリケーション３００から受け取る印刷ジョブを例示する図である。
図１４の（ａ）において、１４０１は印刷ジョブを示しており、印刷ジョブは印刷設定を示すジョブチケット１４０２及び、プリプレス後の印刷データ１４０３から構成される。また、ジョブチケット１４０２の構造は、図１４の（ｂ）で例示している。
【００２７】
図１４の（ｂ）において、１４０４は注文番号を示していて、本注文番号を参照することによりジョブ管理アプリケーション３０１は注文データベース１０３のジョブを特定し、各ジョブのステータス情報を更新可能となる。また１４０５〜１４０７は注文情報を実行するための印刷設定（フィニッシング、仕上がりサイズ、印刷用紙）を示している。
【００２８】
図６は、図２に示したディスプレイ２４４に表示されるＵＩ画面を示す図である。本例は、領域５０１で一つ以上のジョブが選択され、選択されたジョブリスト中にプリプレス処理が終了していないことを示す「未到達」ステータスのジョブが含まれるときに印刷ボタン５１２の押下で表示される。以下、ジョブ一覧に表示されるジョブを実行する順序を特定する属性を指定する処理を説明する。
【００２９】
図６において、６０２〜６０４は選択可能なラジオボタンコントロール（ＲＢＣ）で、それぞれ、ＲＢＣ６０２が選択された場合、ジョブリストの上から順に印刷装置に送信する。ＲＢＣ６０３が選択された場合、プリプレスアプリケーションからジョブを受信した順に送信する。ＲＢＣ６０４が選択された場合、現在、ソートされているカラムに依存して送信順序を変更することを示している。
【００３０】
図７は、本実施形態を示す情報処理装置の制御方法を説明するフローチャートである。本例は、図１に示した情報処理装置１０７で実行されるジョブ管理アプリケーション３０１が注文データベース１０３のステータスを更新する処理例である。なお、各ステップは、情報処理装置１０７のＣＰＵ２３５が図３に示すモジュールを実行することで実現される。
Ｓ１１０１で、ジョブ管理アプリケーション３０１は、プリプレスアプリケーション３００から図１４に例示する印刷ジョブを受信する。
【００３１】
次に、Ｓ１１０２において、受信した印刷ジョブの注文ＩＤで識別される印刷ジョブはプリプレス処理が終了し、印刷装置１０９への送信処理が可能である。そこで、注文情報制御部３０５は、注文データベース１０３の該当ジョブのステータス（領域４０２）を「注文済」から「準備完了」に更新する。Ｓ１１０３において、注文情報制御部３０５は、更新したステータス情報で図５で示すジョブリスト５００に該当ジョブの情報を更新して、本処理を終了する。
以上のように、図７のフローチャートによれば、印刷作業者はプリプレスジョブが到達するまえに、実行すべきジョブの閲覧を可能とし、対応する印刷装置への送信操作（送信予約）を可能とする。
【００３２】
図８は、本実施形態を示す情報処理装置の制御方法を説明するフローチャートである。本例は、図６に示したＵＩ画面において、未到達ジョブの処理に対する送信順序の選択状態で決定される処理例である。なお、各ステップは、情報処理装置１０７のＣＰＵ２３５が図３に示すモジュールを実行することで実現される。
Ｓ７０１において、ジョブ管理アプリケーション３０１の起動時、注文情報制御部３０５が図４に示す注文データベース１０３を検索し、Ｓ７０２において、注文データベース１０３から注文情報一覧４００を取得する。Ｓ７０３において、Ｓ７０２で、表示処理部３０７が取得した注文情報一覧４０８を図５で示すジョブリスト５００形式でＤｉｓｐｌａｙ２４４に表示する。
Ｓ７０３において、注文データベース１０３の注文ステータス（領域４０２）が、プリプレス処理が終わっていないことを示す「注文済」である場合、ジョブリスト５００の領域５０３のステータスには「未到達」と表示する。
【００３３】
Ｓ７０４では、図５Ａの（ａ）に示すＵＩ画面において、作業者が選択したジョブの中に上記「未到達」のジョブが含まれていた場合に印刷ボタン６０５が押下されたとき、後述する印刷予約処理を実行して、本処理を終了する。本印刷処理は図６に示したＵＩ画面におけるＲＢＣ６０２，６０３,６０４の選択状態によって異なる。
【００３４】
〔第１のジョブ処理例〕
図９は、本実施形態を示す情報処理装置の制御方法を説明するフローチャートである。本例は、情報処理装置１０７において、作業者が図６のＵＩ画面を表示させた際、作業者がＲＢＣ６０２を選択した「表示リスト順に送信する」に基づく印刷予約処理例である。なお、各ステップは、情報処理装置１０７のＣＰＵ２３５が図３に示すモジュールを実行することで実現される。
以下、ジョブリスト５００が図１２のように構成された状態で、図６に示した印刷ボタン６０５を押下した場合、Ｓ８０１において、制御部３０２はジョブリスト５００内のジョブiを先頭ジョブ（i＝０）として決定する。この場合、先頭ジョブはリストの先頭にある第１のジョブ１２０１となる。次に、Ｓ８０２において、制御部３０２はジョブｉが「未到達」のステータスを持つジョブかどうかを判断する。
【００３５】
図１２のジョブリストにおいて、先頭表示される第１のジョブ１２０１はステータス１２０８が「準備完了」であり、Ｓ８０４において本ジョブは、プリンタ制御部３０８を介して印刷装置Ｐ２に送信される。なお、本実施形態では、印刷装置Ｐ１〜Ｐ５がネットワークに接続されているものとして、印刷処理を説明する。
次に、Ｓ８０５で、制御部３０２は、ジョブカウンタｉをインクリメントして、図１２に示すジョブリスト５００の第２のジョブ１２０２に移す。そして、Ｓ８０６において、制御部３０２は、ジョブリスト５００で選択されたすべてのジョブの処理が終了しているかどうかを判定する。
【００３６】
Ｓ８０６において、現時点では、制御部３０２は、ジョブリスト５００内のすべてのジョブの処理は終了していないため、Ｓ８０２に戻り、制御部３０２は、第２のジョブ１２０２が未到達ジョブかどうかをステータス１２０８に基づいて判定する。第２のジョブ１２０２はステータス１２０８が「未到達」であるので、制御部３０２は、Ｓ８０３でプリプレスアプリケーション３００から本ジョブの受信を待機する。これは、ＲＢＣ６０２が選択されているためである。
【００３７】
プリプレスアプリケーション３００が本注文のジョブを送信すると、前述したようにジョブのステータス１２０８は「準備完了」となる。この際、Ｓ８０２において、制御部３０２は、第２のジョブ１２０２が未到達ジョブではないと判定し、Ｓ８０４において、制御部３０２は、プリンタ制御部３０８を介してジョブ１２０２を印刷装置Ｐ２に送信する。
【００３８】
以下、同様にジョブ１２０３は次に印刷装置Ｐ４に送信され、「未到達」ステータスをもつジョブ１２０４、ジョブ１２０５、ジョブ１２０６はプリプレスが終わると、この順序で各印刷装置Ｐ１，Ｐ５，Ｐ６に送信される。
Ｓ８０６において、ジョブリスト５００中のすべてのジョブの送信が終わると印刷予約処理は終了する。
以上のように本例においてはプリプレス作業の終了時刻に依存せず、ジョブリスト５００で特定されるいずれかの印刷装置へのジョブの送信順序は図１２に示したＵＩ画面で表示されるジョブリスト５００で示す順となる。本例では、Ｐ２，Ｐ３，Ｐ４，Ｐ１，Ｐ５，Ｐ６の順に送信される。
これにより、図９のフローチャートによれば、プリプレスジョブが到達する前の印刷ジョブに対して、ジョブリストの順で対応する印刷装置にジョブを送信予約すること可能とする。
【００３９】
〔第２のジョブ処理例〕
図１０は、本実施形態を示す情報処理装置の制御方法を説明するフローチャートである。本例は、図１２に示すジョブリスト５００において、図６で「到達順に送信する」のＲＢＣ６０３が選択され、印刷ボタン５１２が押下された際の処理例である。なお、各ステップは、情報処理装置１０７のＣＰＵ２３５が図３に示すモジュールを実行することで実現される。本例では、図６に示すＵＩ画面で指定される属性が受信するジョブ順である場合なので、制御部３０２は、後続のジョブがジョブ実行可能状態であれば、ジョブ待ち状態のジョブの受信を待つことなく、後続のジョブを実行させるようにプレス処理順序を制御する。
Ｓ９０１において、制御部３０２は、ジョブリスト５００内のジョブiを先頭ジョブ（i＝０）として決定する。先頭ジョブは、図１２に示すジョブリスト表示の先頭にある第１のジョブ１２０１となる。
【００４０】
次に、Ｓ９０２において、制御部３０２は、ジョブカウンタｉが「未到達」のステータスではなく、印刷装置Ｐ２に送信する前のジョブかどうかを判断する。図１２のジョブリスト５００において、第１のジョブ１２０１はステータス１２０８が「準備完了」であり、Ｓ９０３において、本ジョブを印刷装置Ｐ２に送信する。次に、Ｓ９０４で、ジョブカウンタｉをインクリメントして（ｉ＋＋）、第２のジョブ１２０２に移り、Ｓ９０５において、制御部３０２は、ジョブリスト５００で選択されたすべてのジョブの処理が終了しているかどうかを判定する。
【００４１】
Ｓ９０５において、最初はすべてのジョブの処理を終了していないと制御部３０２が判断するためＳ９０２に戻り、制御部３０２は、第２のジョブ１２０２が到達済かどうかを判定する。第２のジョブ１２０２はステータス１２０８が「未到達」であるので、Ｓ９１１において、次のジョブ１２０３に移る。
一方、Ｓ９０２において、次のジョブ１２０３のステータス１２０８は「準備完了」である、すなわち、到達済みであり、Ｓ９０３において、当該ジョブは印刷装置Ｐ４に送信される。以下同様にＳ９０５において全選択ジョブの処理を行ったとき、準備完了ステータスであった、第１のジョブ１２０１，第３のジョブ１２０３が印刷装置Ｐ２．Ｐ４に送信されている。
【００４２】
次に、Ｓ９０６において、第２のジョブ１２０２、第４のジョブ１２０４、第５のジョブ１２０５、第６のジョブ１２０６が未送信であり、制御部３０２は、Ｓ９０７において、プリプレスアプリケーション３００からのジョブの受信を待機する。
次に、Ｓ９０８で、プリプレスアプリケーション３００からジョブを受信した場合、制御部３０２は、Ｓ９０９で、受信したジョブはジョブリスト５００で選択されたジョブかどうかを判定する。ここで、選択されたジョブであると制御部３０２が判断した場合Ｓ９１０において、本ジョブをジョブリストで特定される印刷装置に送信する。
【００４３】
一方、Ｓ９０６において、図１２で示したジョブリスト５００すべてのジョブが対応するいずれかの印刷装置に送信されたと判断されたら、本処理を終了する。これにより、図１０のフローチャートによれば、プリプレスジョブが到達する前のジョブに対してプリプレスジョブが到達した順に対応する印刷装置に送信することを可能とする。
以上のように本例においてはプリプレスアプリケーション３００から投入された順に未到達のジョブが対応する印刷装置に送信されることになる。これにより、従来のような逐次処理に代えて、プリプレス工程と、プレス工程とを並行させて処理させることができる。
【００４４】
〔第３のジョブ処理例〕
図１１は、本実施形態を示す装置の制御方法を説明するフローチャートである。本例は、図１２に示すジョブリスト５００において、図６で「選択カラムの項目で送信する」に対応するＲＢＣ６０４が選択され、印刷ボタン６０５が押下された場合の印刷予約処理例である。なお、各ステップは、情報処理装置１０７のＣＰＵ２３５が図３に示すモジュールを実行することで実現される。
図１０に示した処理において、ジョブリスト５００が図１２のように表示された状態で、作業者が印刷ボタン５１２を押下すると、本処理を開始する。そして、Ｓ１０００において、制御部３０２は、選択カラムを取得する。図１２において、選択カラムは、選択マーク１２０７で示すように「用紙」となっている。
【００４５】
次に、Ｓ１００１において、制御部３０２は、同じ用紙情報をもつジョブでグループ化し、数の大きい順にグループとする。図１２で例示したジョブリストの場合、"Ａ４普通紙"である第１のジョブ１２０１〜第３のジョブ１２０３が第１グループ、"Ｂ５普通紙"であるジョブ１２０４、１２０５が第２グループ、"Ｂ６普通紙"であるジョブ１２０６が第３グループとなる。
【００４６】
Ｓ１００２において、制御部３０２は、最初の処理グループを決定し、本例では"Ａ４普通紙"である第１グループとなる。Ｓ１００３で、選択された第１グループの処理は図９に示したフローチャートと同様になる。つまり、第１のジョブ１２０１〜第３のジョブ１２０３が選択されたジョブとして、「準備完了」ステータスをもつジョブが対応する印刷装置に送信される。また、「未到達」のステータス１２０８をもつジョブはプリプレスが終わって到達した順に印刷装置Ｐ３にジョブを送信する。
次に、Ｓ１００４において、全グループが終了していないので、グループカウンタｉをインクリメントして、Ｓ１００３へ戻る。そして、Ｓ１００３で、図１２に示すジョブリスト５００の第２グループに対する印刷予約処理を開始する。同様に、第４のジョブ１２０４，第５のジョブ１２０５でプリプレス処理が終了した順に印刷装置Ｐ１，Ｐ５に送信される。同様に第３グループの処理を終了すると、Ｓ１００６で、制御部３０２は、全グループの処理が終了したと判定し、送信処理を終了する。
【００４７】
これにより、図１１のフローチャートによれば、印刷作業者が所望のカラムを選択することで、該カラムで同項目のジョブグループ内でプリプレスジョブが到達した順に対応する印刷装置に送信することを可能とする。
【００４８】
本発明は、上述の実施形態の１以上の機能を実現するプログラムを、ネットワーク又は記憶媒体を介してシステムまたは装置に供給し、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００４９】
３０２  制御部
３０３  受信部
３０４  ジョブ解析部
３０５  注文情報制御部
３０６  注文情報解析部
３０７  表示部である。
３０８  プリンタ制御部
【図１】
2016173660.tif 000003
【図２】
2016173660.tif 000004
【図３】
2016173660.tif 000005
【図４】
2016173660.tif 000006
【図５Ａ】
2016173660.tif 000007
【図５Ｂ】
2016173660.tif 000008
【図６】
2016173660.tif 000009
【図７】
2016173660.tif 000010
【図８】
2016173660.tif 000011
【図９】
2016173660.tif 000012
【図１０】
2016173660.tif 000013
【図１１】
2016173660.tif 000014
【図１２】
2016173660.tif 000015
【図１３】
2016173660.tif 000016
【図１４】
2016173660.tif 000017
【図１５】
2016173660.tif 000018